(57)【特許請求の範囲】
【請求項１】
火葬後に発生する残骨灰を収集して粉砕してなる微粒状の火葬残灰に硫酸第１鉄１水塩又は硫酸第１鉄７水塩を混入して撹拌することにより、硫酸第１鉄１水塩又は硫酸第１鉄７水塩が還元剤として作用し、火葬残灰中の六価クロムを三価クロムに還元することにより無害化するようにしたことを特徴とする火葬残灰無害化処理方法。
【請求項２】
火葬残灰が粉末状の乾燥状態のときは、該火葬残灰に硫酸第１鉄１水塩を混入して撹拌することにより、火葬残灰中の六価クロムを三価クロムに還元することにより無害化するようにしたことを特徴とする請求項１記載の火葬残灰無害化処理方法。
【請求項３】
火葬残灰が泥状のときは、該火葬残灰に硫酸第１鉄７水塩を混入して撹拌することにより、火葬残灰中の六価クロムを三価クロムに還元することにより無害化するようにしたことを特徴とする請求項１記載の火葬残灰無害化処理方法。
【請求項４】
火葬後に発生する残骨灰を収集して粉砕してなる微粒状の火葬残灰に硫酸第１鉄１水塩又は硫酸第１鉄７水塩を混入して撹拌することにより、硫酸第１鉄１水塩又は硫酸第１鉄７水塩が還元剤として作用し、カドミウム、鉛、砒素、水銀、セレンのうち少なくとも１つを無害化するようにしたことを特徴とする火葬残灰無害化処理方法。
【発明の詳細な説明】
【技術分野】
【０００１】
本発明は、火葬場から出る火葬残灰を集積して保管した後、火葬残灰の無害化処理を施す際に用いる火葬残灰無害化処理方法に関する。なお、火葬残灰とは、火葬後、御遺族が収骨を行い、行政又は民間の運営会社より残骨灰処理業者が火葬場（斎場・斎苑）より引き取った、残骨灰・集塵灰より供養すべき御骨及び金属等をより分けして、残った灰を意味するものである。
【背景技術】
【０００２】
従来から、火葬場等において、遺体等の火葬を終えると、炉内には遺骨のほかに、台車を保護するために台車上に敷設される台車保護材等、副葬品、棺に取り付けられていた金属製装飾品、故人が生前に受けた歯科治療や手術で使われた金属類や、金、銀、パラジウム等の貴金属が残留する。
【０００３】
そのうち、遺骨については、遺族に引き渡されるのが一般的であるが、遺骨の他の金属等を含む残骨灰は、火葬場の係員によって回収された後に集積され、宗教施設等で一括して保管されることになる。
【０００４】
ところで、日本国内における火葬後の収骨方法は、東日本においては遺灰も含めて大半を骨壷に収める傾向にあるが、西日本では、一部の遺骨を骨壷に収めるだけであり、火葬場に残った遺灰は大半が民間業者によって処分される場合もある。
【０００５】
また、東京都の他、地方自治体の中には、遺骨に含まれる金属等を換金することによって得た収入を財源にしているという自治体が存在している。
【０００６】
ところが、そのような貴金属の回収処理の際に、処理業者によって、金、銀、パラジウム等の貴金属が取り除かれた後の火葬残灰が、処理業者の所有地等に埋められるという事例があり、土壌汚染等の問題も生じていた。
【０００７】
ところで、火葬場の調査研究を行うＮＰＯ法人である日本環境斎苑協会の調査によると、火葬場から出る火葬残灰から六価クロムが検出され、その量は、最大で、国の環境基準の約４２０倍の検出値に達することが明らかにされている。
【０００８】
上記のように火葬残灰に高濃度の六価クロムが含まれる理由としては、遺体等の火葬を終えたとき、人体中に約２ミリグラムほど存在するクロムが、高熱で六価クロムに変化するために生じたものと考えられている。
【０００９】
また、大半の火葬場では、比較的安価なステンレス製のひつぎ台が、数十年にわたり、１０００℃を超える高温下で使用されているうちに、ステンレス内の一部のクロムが六価クロムに変化し、ひつぎ台から脱落して骨灰に混入したものと推定されている。
【００１０】
なお、上記の六価クロムの人体に対する危険性は、六価クロムが皮膚や粘膜に付着した状態にした場合、粘膜や皮膚を侵し、鼻中隔の穿孔や鼻、肺、咽喉などへの腫瘍の発生の恐れがあるものと指摘されている。
【００１１】
また、六価クロムは、発癌性物質として扱われており、多量に肺に吸入されると、呼吸機能を阻害し、長期的には肺癌の原因になるものとされている。さらに、六価クロムは、消化器系にも影響し、長期間の摂取は肝臓障害、貧血、大腸癌、胃癌などの原因にもなると云われている。
【００１２】
また、六価クロムは極めて強い毒性を持つものであり、代表的な六価クロムのニクロム酸カリウムの致死量は約０．５〜１グラムである。
【００１３】
なお、六価クロムは高沸点重金属の化合物であるため、融点及び沸点ともに高く、六価クロムそのものが常温で気化することがない。また、六価クロムは非常に強い酸化能力を持つ不安定な物質であり、有機物と接触すると、その有機物を酸化し、自身は酸化クロムに変わる性質があるため、自然界に通常は存在しないものである。
【００１４】
ところで、上記のように、火葬残灰に含まれる六価クロムを無害化処理するための従来の特許文献としては、下記の特許文献１に記載されているように「六価クロムを含有する特定廃棄物の無害化処理剤」が開発されている。
【００１５】
この文献に記載されている処理剤は、アスコルビン酸及びその異性体若しくはそれらのナトリウム塩、カリウム塩、アンモニウム塩の一種又は二種以上を主成分とする溶液よりなる六価クロムを含有する特定廃棄物の無害化処理剤に関するものである。
【先行技術文献】
【特許文献】
【００１６】
【特許文献１】特開２００８−２３１３８８号公報
【発明の概要】
【発明が解決しようとする課題】
【００１７】
なお、上記の六価クロムは、水銀、カドミウム、鉛、砒素、セレン等の重金属と同様に、環境汚染の原因となる物質であり、廃棄物の処理及び清掃に関する法律等の規制対象にもなっている物質である。
【００１８】
本発明は、上記のように極めて毒性の高い六価クロム等の重金属の危険性に対処してなされたものであり、火葬残灰に含まれる六価クロム等の有害物質を無害化処理することによって、人体への悪影響や環境汚染等を防止することができるようにした火葬残灰無害化処理方法を提供することを目的とする。
【課題を解決するための手段】
【００１９】
上記の課題を解決するために、本発明の請求項１の火葬残灰無害化処理方法は、火葬後に発生する残骨灰を収集して粉砕してなる微粒状の火葬残灰に硫酸第１鉄１水塩又は硫酸第１鉄７水塩を混入して撹拌することにより、硫酸第１鉄１水塩又は硫酸第１鉄７水塩が還元剤として作用し、火葬残灰中の六価クロムを三価クロムに還元することにより無害化するようにしたことを特徴とする。
【００２０】
また、本発明の請求項２の火葬残灰無害化処理方法は、請求項１において、火葬残灰が粉末状の乾燥状態のときは、該火葬残灰に硫酸第１鉄１水塩を混入して撹拌することにより、火葬残灰中の六価クロムを三価クロムに還元することにより無害化するようにしたことを特徴とする。
【００２１】
また、本発明の請求項３の火葬残灰無害化処理方法は、請求項１において、火葬残灰が泥状のときは、該火葬残灰に硫酸第１鉄７水塩を混入して撹拌することにより、火葬残灰中の六価クロムを三価クロムに還元することにより無害化するようにしたことを特徴とする。
【００２２】
さらに、本発明の請求項４の火葬残灰無害化処理方法は、火葬後に発生する残骨灰を収集して粉砕してなる微粒状の火葬残灰に硫酸第１鉄１水塩又は硫酸第１鉄７水塩を混入して撹拌することにより、硫酸第１鉄１水塩又は硫酸第１鉄７水塩が還元剤として作用し、カドミウム、鉛、砒素、水銀、セレンのうち少なくとも１つを無害化するようにしたことを特徴とする。
【発明の効果】
【００２３】
本発明の火葬残灰無害化処理方法によれば、火葬後に発生する残骨灰を収集して粉砕してなる微粒状の火葬残灰に硫酸第１鉄１水塩又は硫酸第１鉄７水塩を混入して撹拌することにより、硫酸第１鉄１水塩又は硫酸第１鉄７水塩が還元剤として作用し、六価クロムを三価クロムに還元することによって、六価クロムを無害化することが可能となる。
【００２４】
また、火葬残灰が粉末状の乾燥状態のときは、この火葬残灰に乾燥状態にある硫酸第１鉄１水塩を混入して撹拌し、火葬残灰中の六価クロムを三価クロムに還元することにより無害化することが好ましい。
【００２５】
さらに、火葬残灰が泥状のときは、この火葬残灰に結晶水を有する硫酸第１鉄７水塩を混入して撹拌し、火葬残灰中の六価クロムを三価クロムに還元することにより無害化することが好ましい。
【図面の簡単な説明】
【００２６】
【図１】本発明による実施例の火葬残灰無害化処理方法に係る火葬残灰を処理する工程のフローチャートを示す図である。
【発明を実施するための形態】
【００２７】
以下、本発明の実施例について図面を参照しながら説明する。
【実施例】
【００２８】
本発明の火葬残灰無害化処理方法は、火葬後に発生する残骨灰を収集して粉砕してなる微粒状の火葬残灰に、硫酸第１鉄１水塩又は硫酸第１鉄７水塩を混入して撹拌することにより、硫酸第１鉄１水塩又は硫酸第１鉄７水塩が還元剤として作用し、火葬残灰中の六価クロムを三価クロムに還元することによって無害化するようにしたものである。
【００２９】
このような本発明の火葬残灰無害化処理方法によれば、硫酸第１鉄１水塩又は硫酸第１鉄７水塩が還元剤として作用し、六価クロムを三価クロムに還元することにより、六価クロムを無害化することが可能となる。即ち、六価クロムは、還元力の強い第１鉄イオンにより容易に酸化され、三価クロムに還元される。
【００３０】
また、火葬残灰が粉末状の乾燥状態のときは、この火葬残灰に乾燥状態の硫酸第１鉄１水塩（ＦｅＳＯ4・Ｈ2Ｏ）を混入して撹拌することにより、火葬残灰中の六価クロムを三価クロムに還元して、無害化することが好ましい。
【００３１】
さらに、火葬残灰が泥状のときは、この火葬残灰に、結晶水を有する硫酸第１鉄７水塩（ＦｅＳＯ4・７Ｈ2Ｏ）を混入して撹拌することにより、火葬残灰中の六価クロムを三価クロムに還元して、無害化することが好ましい。
【００３２】
以下、本発明の実施例についてより具体的に述べる。図１は、火葬場の残骨灰を処理工場に搬入してから微粒状の火葬残灰とし、これに無害化処理を施すようにした火葬残灰の無害化処理工程に係る図である。
【００３３】
この図に示すように、まず、処理業者によって、火葬場から残骨灰を工場へ搬入し（１）、残骨灰を所定の容器に収集する（２）。この収集した残骨灰から供養塔に収める残骨を分別（３）した後、これを保管し（４）、供養祭（５）等の所定の儀式を経て、供養塔へ埋葬する（６）。
【００３４】
一方、上記のように、残骨灰を収集して残骨を分別した残りは、リサイクル原料として処理する工程（７）へ移行する。具体的には、そのリサイクル原料を粉砕機で粉砕する工程（８）を経て、その粉砕物の中から金属粒を分別し（９）、この金属粒のうち、有価金属を分別する選鉱の工程（１０）を経て、金属類を選別する（１１）。
【００３５】
なお、上記の工程において分別した金属類は、鉄屑を分離する（１５）と共に、選鉱の工程で金属屑を分離する（１６）。また、このように分離した鉄屑と金属屑は、金属屑等として処理される（１７）。
【００３６】
一方、上記のように金属粒を分別した残りの不純物は粉砕の工程（８）で粉末状の火葬残灰となり（１２）、次の工程で火葬残灰に対する無害化処理（１３）が行われる。そして、この無害化処理（１３）がなされた火葬残灰が混練会社等に納入される（１４）。
【００３７】
上記の無害化処理の方法としては、例えば、所定の撹拌容器に収容した火葬残灰に対して硫酸第１鉄１水塩又は硫酸第１鉄７水塩を、１：１〜２０：１の割合で混入する。そして、この混合状態を撹拌機で撹拌する。撹拌条件は常温でよく、撹拌時間は、撹拌機の撹拌能力にもよるものであるが、十分に行う必要がある。
【００３８】
このような無害化処理（１３）の工程において、上記の粉砕工程を経た火葬残灰が乾燥状態にあるときは、この火葬残灰に、乾燥状態の硫酸第１鉄１水塩（ＦｅＳＯ4・Ｈ2Ｏ）を混入して撹拌することにより、火葬残灰中の六価クロムが三価クロムに還元し、無害化される。
【００３９】
また、上記の無害化処理（１３）の工程において、粉砕工程を経た火葬残灰が水分を含む泥状にあるときは、この火葬残灰に、結晶水を有する硫酸第１鉄７水塩（ＦｅＳＯ4・７Ｈ2Ｏ）を混入して撹拌することにより、火葬残灰中の六価クロムが三価クロムに還元し、無害化される。
【００４０】
次に、上記のようにして無害化した火葬残灰の検査及び試験結果について以下の各表に検査結果報告書として記載する。なお、下記の検査及び試験については、火葬残灰１５〜１００ｋｇを採取して約３分間だけ撹拌し、また硫酸第１鉄１水塩又は硫酸第１鉄７水塩５〜１５ｋｇを１０分間だけ撹拌したものを用いている。
【００４１】
なお、以下の検査結果報告書は、下記の会社によるものである。
【００４２】
株式会社  環境技研
戸田テクニカルセンター
計量証明事業登録
埼玉県第５６３号
【００４３】
以下の表中の未満表示は定量下限未満を示す。また、判定基準については、「金属等を含む産業廃棄物に係る判定基準を定める総理府令（昭和４８年２月１７日総理府令第５号）」を示す。
【００４４】
まず、サンプルとして、火葬残灰から任意に採取した無害化処理前の試料の試料名１５−１５−１をサンプル１５−１５−１とし、上記の無害化処理後の試料の試料名１５−１５−２をサンプル１５−１５−２として、それぞれの試料に対する検査及び試験結果を［表１−１］に記載してある。また、無害化処理前の試料名１５−１５−１に対する検査結果及び検査方法を［表１−２］に記載し、無害化処理後の試料名１５−１５−２に対する検査結果及び検査方法を［表１−３］に記載してある。
【００４５】
【表１−１】
0004784879.tif 000002
【００４６】
【表１−２】
0004784879.tif 000003
【００４７】
【表１−３】
0004784879.tif 000004
【００４８】
次に、サンプルとして、火葬残灰から任意に採取した無害化処理前の試料の試料名２５−１０−１をサンプル２５−１０−１とし、上記の無害化処理後の試料の試料名２５−１０−２をサンプル２５−１０−２として、それぞれの試料に対する検査及び試験結果を［表２−１］に記載してある。また、無害化処理前の試料名２５−１０−１に対する検査結果及び検査方法を［表２−２］に記載し、無害化処理後の試料名２５−１０−２に対する検査結果及び検査方法を［表２−３］に記載してある。
【００４９】
【表２−１】
0004784879.tif 000005
【００５０】
【表２−２】
0004784879.tif 000006
【００５１】
【表２−３】
0004784879.tif 000007
【００５２】
次に、サンプルとして、火葬残灰から任意に採取した無害化処理前の試料の試料名５０−５−１をサンプル５０−５−１とし、上記の無害化処理後の試料の試料名５０−５−２をサンプル５０−５−２として、それぞれの試料に対する検査及び試験結果を［表３−１］に記載してある。また、無害化処理前の試料名５０−５−１に対する検査結果及び検査方法を［表３−２］に記載し、無害化処理後の試料名５０−５−２に対する検査結果及び検査方法を［表３−３］に記載してある。
【００５３】
【表３−１】
0004784879.tif 000008
【００５４】
【表３−２】
0004784879.tif 000009
【００５５】
【表３−３】
0004784879.tif 000010
【００５６】
次に、サンプルとして、火葬残灰から任意に採取した無害化処理前の試料の試料名５０−１０−１をサンプル５０−１０−１とし、上記の無害化処理後の試料の試料名５０−１０−２をサンプル５０−１０−２として、それぞれの試料に対する検査及び試験結果を［表４−１］に記載してある。また、無害化処理前の試料名５０−１０−１に対する検査結果及び検査方法を［表４−２］に記載し、無害化処理後の試料名５０−１０−２に対する検査結果及び検査方法を［表４−３］に記載してある。
【００５７】
【表４−１】
0004784879.tif 000011
【００５８】
【表４−２】
0004784879.tif 000012
【００５９】
【表４−３】
0004784879.tif 000013
【００６０】
次に、サンプルとして、火葬残灰から任意に採取した無害化処理前の試料の試料名７５−５−１をサンプル７５−５−１とし、上記の無害化処理後の試料の試料名７５−５−２をサンプル７５−５−２として、それぞれの試料に対する検査及び試験結果を［表５−１］に記載してある。また、無害化処理前の試料名７５−５−１に対する検査結果及び検査方法を［表５−２］に記載し、無害化処理後の試料名７５−５−２に対する検査結果及び検査方法を［表５−３］に記載してある。
【００６１】
【表５−１】
0004784879.tif 000014
【００６２】
【表５−２】
0004784879.tif 000015
【００６３】
【表５−３】
0004784879.tif 000016
【００６４】
次に、サンプルとして、火葬残灰から任意に採取した無害化処理前の試料の試料名１００−５−１をサンプル１００−５−１とし、上記の無害化処理後の試料の試料名１００−５−２をサンプル１００−５−２として、それぞれの試料に対する検査及び試験結果を［表６−１］に記載してある。また、無害化処理前の試料名１００−５−１に対する検査結果及び検査方法を［表６−２］に記載し、無害化処理後の試料名１００−５−２に対する検査結果及び検査方法を［表６−３］に記載してある。
【００６５】
【表６−１】
0004784879.tif 000017
【００６６】
【表６−２】
0004784879.tif 000018
【００６７】
【表６−３】
0004784879.tif 000019
【００６８】
上記の各表に記載した検査結果でも判明するように、火葬残灰に硫酸第１鉄１水塩又は硫酸第１鉄７水塩を混入して撹拌する効果は、六価クロムを無害化するだけではなく、カドミウム、鉛、砒素、水銀、セレン等の重金属に対しても、判定基準以内に収めることができ、六価クロムのみならず火葬残灰の無害化に有益となる。
【産業上の利用可能性】
【００６９】
本発明の火葬残灰無害化処理方法は、火葬残灰に含まれる極めて毒性の高い六価クロム等の重金属の危険性に対処してなされたものであり、火葬残灰に含まれる六価クロム等の有害物質を無害化処理することによって、人体への悪影響や環境汚染等を防止することができるようにした火葬残灰無害化処理方法として利用可能である。
【符号の説明】
【００７０】
１  搬入
２  残骨灰収集
３  残骨を分別
４  保管
５  供養祭
６  供養塔へ埋葬
７  リサイクル原料として処理
８  粉砕する工程
９  金属粒を分別する工程
１０  有価金属を分別する選鉱
１１  有価金属を選別する工程
１２  粉末状の火葬残灰
１３  火葬残灰に対する無害化処理
１４  混練会社等に納入
１５  鉄屑を分離する工程
１６  金属屑を分離する工程
１７  鉄屑等として処理される工程
【要約】
【課題】火葬残灰に含まれる極めて毒性の高い六価クロム等の重金属の危険性に対処してなされたものであり、火葬残灰に含まれる六価クロム等の有害物質を無害化処理することによって、人体への悪影響や環境汚染等を防止することができるようにした火葬残灰無害化処理方法を提供する。
【解決手段】火葬後に発生する残骨灰を収集して粉砕してなる微粒状の火葬残灰に硫酸第１鉄１水塩又は硫酸第１鉄７水塩を混入して撹拌することにより、硫酸第１鉄１水塩又は硫酸第１鉄７水塩が還元剤として作用し、火葬残灰中の六価クロムを三価クロムに還元することにより無害化するようにした。
【選択図】図１【図１】
0004784879.tif 000020